(57)【要約】      （修正有）【課題】ケース本体の内ケースと外ケースが同じ材料で形成されて、内ケースと外ケースの一方に不具合が生じて保冷箱の使用に支障が出ることを防止すること。【解決手段】保冷箱１のケース本体２は、合成樹脂材料で形成された外ケース２ａと内ケース２ｂが組み合わされて形成され、両者によって形成される内部空間に発泡合成樹脂からなる断熱材２ｃが充填されている。内ケース２ｂは外ケース２ａに比し引張強さが大きいポリプロピレンを用いており、外ケース２ａは、内ケース２ｂよりも耐衝撃性に優れたポリエチレンを用いている。【選択図】図２
2008056312.tif 000002
【特許請求の範囲】
【請求項１】
合成樹脂で形成した外ケースと内ケース間に断熱材を配したケース本体を有する保冷箱において、前記内ケースを前記外ケースより引張強さが大きい材料とし、前記外ケースを前記内ケースより耐衝撃性が大きい材料としたことを特徴とする保冷箱。
【請求項２】
外ケースと内ケースは共に比重１以下の材料からなることを特徴とする請求項１記載の保冷箱。
【請求項３】
外ケースをブロー成形で形成し、内ケースをインジェクション成形で形成したことを特徴とする請求項１または２記載の保冷箱。
【請求項４】
外ケースをポリエチレンで形成し、内ケースをポリプロピレンで形成したことを特徴とする請求項１乃至３記載の保冷箱。
【発明の詳細な説明】
【技術分野】
【０００１】
本発明は、外ケースと内ケース間に断熱材を配した保冷箱に関する。
【背景技術】
【０００２】
従来からスポーツや釣り等のレジャーにおいて食べ物や飲み物を収納したり、釣った魚等を収納するためにクーラーボックスなどの保冷箱が用いられている。
これらの保冷箱の多くは、合成樹脂製の内ケースと外ケースの間に断熱材を配したケース本体を有しており、収納物と一緒に氷や保冷剤等を入れて保冷箱の内部を冷やしておくようになっている。
【０００３】
上記のように形成したケース本体は軽く、保冷性も良好であるが、収納物の荷重がかかると内側が変形してしまったり、保冷箱をハンドルやショルダーベルトを利用して携帯するため保冷箱の外側をぶつけることによる破損が懸念され、強度の向上が望まれていた。
しかし、従来の保冷箱は、製造上の事情から内ケースと外ケースが同じ材料で形成されて、内ケースと外ケースの一方に不具合が生じて保冷箱の使用に支障が出てしまうことがあった。
特許文献１のように内ケースと外ケースを共にポリプロピレンで形成すると外ケースの耐衝撃性が小さいため外ケースが先に破損する不具合があった。
【特許文献１】特公平８−２４５２０
【発明の開示】
【発明が解決しようとする課題】
【０００４】
解決しようとする課題は、ケース本体の内ケースと外ケースが同じ材料で形成されて、内ケースと外ケースの一方に不具合が生じて保冷箱の使用に支障が出てしまうことである。
【０００５】
本発明の目的は前記欠点に鑑み、保冷箱のケース本体の内ケースと外ケースをそれぞれ保冷箱の使用に合わせた適切な材料で形成することによって内ケースと外ケースに生じる不具合を防止して保冷箱が長く使用できるようにすることである。
【課題を解決するための手段】
【０００６】
上記課題を解決するために、
請求項１に係わる本発明は、合成樹脂で形成した外ケースと内ケース間に断熱材を配したケース本体を有する保冷箱において、前記内ケースを前記外ケースより引張強さが大きい材料とし、前記外ケースを前記内ケースより耐衝撃性が大きい材料としたことを要旨とするものである。
請求項２に係わる本発明は、外ケースと内ケースは共に比重１以下の材料からなることを要旨とするものである。
請求項３に係わる本発明は、外ケースをブロー成形で形成し、内ケースをインジェクション成形で形成したことを要旨とするものである。
請求項４に係わる本発明は、外ケースをポリエチレンで形成し、内ケースをポリプロピレンで形成したことを要旨とするものである。
【発明の効果】
【０００７】
本発明によると、ケース本体の内ケースを外ケースより引張強さが大きい材料とし、外ケースを内ケースより耐衝撃性が大きい材料としたので、重い物を収納したときの内ケースの割れや変形が防止でき、運搬中に落としたり、ぶつけたときの外ケースの破損を防止することができる。
【発明を実施するための最良の形態】
【０００８】
以下、本発明の実施形態を図面に基づき説明すると、図１および図２は本発明の実施例で、図１は保冷箱の全体図、図２は保冷箱の拡大断面図である。
【０００９】
図１および図２によると、保冷箱１は、上方に開口部４を有し、内側に収納部Ｕが形成されたケース本体２と、この開口部４を開閉自在に閉塞する蓋体３を有している。
ケース本体２の左右両側には、ハンドル１０が取り付けられており、このハンドル１０により保冷箱１を持ち上げて運搬したり、ケース本体２の一端側に回動可能に支持されたキャリー用の車輪１１を利用してハンドル１０により引きながら運搬することも出来る。
【００１０】
ケース本体２の開口部４を閉塞する蓋体３は、ケース本体２の後方側の開口部４に図示しない蝶番で回動自在に取り付けられており、蓋体３を閉じたときにケース本体２の前方側の開口部４に取り付けたロック部材９で係止されその解放が規制されるようになっている。
蓋体３は、合成樹脂の上方側外殻体３ａと下方側外殻体３ｂが接合部８にて組み合わされて形成され、その両者によって形成される内部空間に発泡合成樹脂からなる断熱材３ｃが充填されている。
【００１１】
ケース本体２は、上方に開口部４を有する箱状体で、外側を形成する外ケース２ａと内側を形成する内ケース２ｂが組み合わされて形成されており、内ケース２ｂの内側が収納部Ｕとなっている。
【００１２】
内ケース２ｂは開口部４において外側に向かう折り返し部を有し、上端に凹部７が形成され、凹部７内に柔軟性を有する発泡ゴムまたは発泡合成樹脂からなるパッキン部材６が取り付けられ、蓋体３を閉じたとき開口部４のパッキン部材６に当接してこれを押圧し収納部Ｕの冷気漏れや水漏れが防止される。
また、内ケース２ｂは開口部４で外側へ折り返され、開口部４から垂下するスカート状部を有し、このスカート状部の先端側に接合部５を形成する凹凸状の接合片が突出している。
【００１３】
外ケース２ａは、ケース本体２の側部Ｓの外側面を形成し、その内側に断熱材の収納空間を介して内ケース２ｂが配される。
外ケース２ａは、側部Ｓの上端に凹凸状の接合片を有しており、内ケース２ｂと組み合わせてケース本体２を形成した時、両者の接合片同士が係合して開口部４に沿って側部Ｓに接合部５が形成される。
【００１４】
外ケース２ａと内ケース２ｂとの間に形成された空間には、ウレタンやポリスチレン等の発泡合成樹脂で形成された断熱材２ｃが充填または収納され、収納部Ｕの保冷効果を高めている。
断熱材２ｃは合成樹脂フィルムで断熱用芯材を包んで密閉し内部を減圧して形成した真空断熱材を用いてもよい。
【００１５】
ケース本体２を形成する外ケース２ａと内ケース２ｂは合成樹脂で形成されるが、内ケース２ｂは収納部Ｕに収納した物の荷重が掛かるため外ケース２ａに比し引張強さが大きい合成樹脂材料を用いて、重い物を収納したときの内ケース２ｂの変形や割れを防止している。
一方、外ケース２ａは、ケース本体２の外側面を形成するため内ケース２ｂよりも耐衝撃性に優れたアイゾット衝撃強さの大きい合成樹脂を用いることによって保冷箱１を落としたり、ぶつけたりしたときの割れやへこみを防止している。
【００１６】
このため、ケース本体２を形成する内ケース２ｂの材料はポリプロピレンを用いておりこれをインジェクション成型によって形成し、一方、外ケース２ａの材料は、ポリエチレンを用いてブロー成形によって形成している。
また、内ケース２ｂの内側は外ケース２ａの外側に比べ表面粗さが小さくなるように形成し、これにより内ケース２ｂの内側は汚れが付着しにくくなり、外ケース２ａの外側は傷が付きにくくなり、底部Ｔにおいては滑りが防止される。
【００１７】
引張強さは、ＪＩＳ  Ｋ  ７１１３  プラスチックの引張試験方法、耐衝撃性は、ＪＩＳ  Ｋ  ７１１０  プラスチック−アイゾット衝撃強さの試験方法によるものとする。
引張強さは、内ケース２ｂの材料のポリプロピレンが３０N/ｍｍ2、外ケース２ａの材料のポリエチレンが１２N/ｍｍ2で、内ケース２ｂの材料の方が大きく、耐衝撃性に係るアイゾット衝撃強さは内ケース２ｂの材料のポリプロピレンが６．９kJ/ｍ2、外ケース２ａの材料のポリエチレンが１５kJ/ｍ2で、外ケース２ａの材料の方が大きい。
このように内ケース２ｂと外ケース２ａを形成するとケース本体２は、収納物の荷重及び外側の衝撃の両方に対し強度が向上し、ケース本体２全体の破損が防止され長く使用できる保冷箱１となる。
【００１８】
さらに、内ケース２ｂにポリプロピレン（比重０．９１）を用いて、外ケース２ａにポリエチレン（比重０．９１）を用いた場合のように共に内ケース２ｂと外ケース２ａの比重が１以下であるため、保冷箱１が軽量化でき、また、水に浮きやすくなり、釣りなどに使用する場合、水に落下しても回収が可能である。
しかも断熱材２ｃが発泡合成樹脂によって形成されているためより確実に水に浮きやすくなる。
【００１９】
さらに、内ケース２ｂと外ケース２ａの間に発泡合成樹脂の断熱材２ｃが配されることで、両者に掛かる荷重や衝撃は断熱材２ｃによって緩和されるため互いに影響を与えることが防止される。
なお、本願で使用したポリエチレン、ポリプロピレンは、それぞれ主材料がポリエチレン、ポリプロピレンであればよく、例えば、内ケース２ｂを構成する材料をポリプロピレンに僅かにポリエチレンを混ぜたものを用いてもよい。
【産業上の利用可能性】
【００２０】
本発明は、保冷箱全般に利用できる。
【図面の簡単な説明】
【００２１】
【図１】図１は、保冷箱の全体図である。
【図２】図２は、保冷箱の拡大断面図である。
【符号の説明】
【００２２】
１    保冷箱
２    ケース本体
２ａ  外ケース
２ｂ  内ケース
２ｃ  断熱材
３    蓋体
４    開口部
５、８    接合部
Ｔ    底部
Ｓ    側部
Ｕ    収納部
【図１】
2008056312.tif 000003
【図２】
2008056312.tif 000004